(57)【要約】【課題】棚板の取り付け作業を簡単に行うことができる収納ユニットの取付方法を提供する。【解決手段】収納ユニット１の取付方法は、収納室１００の左側壁１０２及び右側壁１０３の壁面に左化粧側板３及び右化粧側板４を面接触で沿わせて固着し、左化粧側板３及び右化粧側板４が棚板７を載設しようとする高さＨに形成され、左化粧側板３及び右化粧側板４のうち収納室１００の後壁１０１の壁面に面する部分に上面が棚板７を載設しようとする高さＨとなるように左化粧側板３及び右化粧側板４の間にわたって棚板受桟６を架設し、左化粧側板３、右化粧側板４及び棚板受桟６の上面に棚板受桟６が左化粧側板３及び右化粧側板４と棚板７とで挟持されるように棚板７を載設し、左化粧側板３及び右化粧側板４の上面に棚板７を固設してなる。【選択図】図１１
2018104950.tif 000002
【特許請求の範囲】
【請求項１】
前方側が開口し、後壁及び左右の側壁を備えた収納室の該左右の側壁の壁面に、左右の化粧側板を面接触で沿わせて固着するとともに、該左右の化粧側板が、棚板を載設しようとする高さに形成され、
前記左右の化粧側板のうち前記収納室の後壁の壁面に面する部分に、上面が前記棚板を載設しようとする高さとなるように、前記左右の化粧側板の間にわたって棚板受桟を架設し、
前記左右の化粧側板及び前記棚板受桟の上面に、前記棚板受桟が前記左右の化粧側板と前記棚板とで挟持されるように、前記棚板を載設し、
前記左右の化粧側板の上面に、前記棚板を固設してなる収納ユニットの取付方法。
【請求項２】
前記左右の化粧側板の上端縁のうち前記収納室の後壁の壁面に面する部分に、前記棚板受桟が係合可能な切欠部を有してなる請求項１に記載の収納ユニットの取付方法。
【請求項３】
前記収納室の後壁の壁面に、少なくとも前記棚板を載設しようとする高さに形成される後板を面接触で沿わせて固着してなる請求項１又は２に記載の収納ユニットの取付方法。
【請求項４】
前記左右の化粧側板の間に、該左右の化粧側板と平行となるように、中仕切板を立設するとともに、該中仕切板が、前記棚板を載設しようとする高さに形成され、
前記中仕切板のうち前記収納室の後壁の壁面に面する部分に、上面が前記棚板を載設しようとする高さとなるように、前記棚板受桟を架設し、
前記中仕切板の上面に、前記棚板受桟が前記中仕切板と前記棚板とで挟持されるように、前記棚板を載設し、
前記中仕切板の上面に、前記棚板を固設してなる請求項１〜３の何れかに記載の収納ユニットの取付方法。
【請求項５】
前記中仕切板は、前記中仕切板の上端縁のうち前記収納室の後壁の壁面に面する部分に、前記棚板受桟が係合可能な切欠部を有してなる請求項４に記載の収納ユニットの取付方法。
【発明の詳細な説明】
【技術分野】
【０００１】
本発明は、押入れ、クローゼット等の収納室に取り付けられる収納ユニットの取付方法に関する。
【背景技術】
【０００２】
近年、既設の押入れを洋風のクローゼットにリフォームすることが多く行われている。例えば、前方側が開口し、後壁、左側壁及び右側壁を備えた既設の押入れにリフォーム用の棚板を取り付けるものとして、裏面に既設の下地（補強桟）が位置する後壁、左側壁及び右側壁の壁面にそれぞれ棚板受桟を木ねじや釘等により固定し、これらの棚板受桟の上面に棚板を載置して固定するものが知られている（特許文献１参照）。
【先行技術文献】
【特許文献】
【０００３】
【特許文献１】特開平９−３７８７３号公報
【発明の概要】
【発明が解決しようとする課題】
【０００４】
しかしながら、前記従来の既設の押入れにリフォーム用の棚板を取り付けるものでは、裏面に既設の補強桟が位置する後壁、左側壁及び右側壁の壁面にそれぞれ棚板受桟を固定するから、例えば、裏面に既設の補強桟が位置する後壁、左側壁及び右側壁の壁面から外れた高さに棚板を取り付ける場合には、棚板受桟を取り付けようとする高さの後壁、左側壁及び右側壁の裏面に新たな補強桟を取り付ける必要があり、もって、棚板の取り付け作業が煩雑になるという問題があった。
【０００５】
本発明は、上述の事情に鑑みて、棚板の取り付け作業を簡単に行うことができる収納ユニットの取付方法を提供することを目的としている。
【課題を解決するための手段】
【０００６】
上記目的を達成するための手段を図面の参照符号を付して示せば、請求項１の発明に係る収納ユニット１の取付方法は、前方側が開口し、後壁１０１、左側壁１０２及び右側壁１０３を備えた収納室１００の左側壁１０２及び右側壁１０３の壁面に、左化粧側板３及び右化粧側板４を面接触で沿わせて固着するとともに、左化粧側板３及び右化粧側板４が、棚板７を載設しようとする高さＨに形成され、左化粧側板３及び右化粧側板４のうち収納室１００の後壁１０１の壁面に面する部分に、上面が棚板７を載設しようとする高さＨとなるように、左化粧側板３及び右化粧側板４の間にわたって棚板受桟６を架設し、左化粧側板３、右化粧側板４及び棚板受桟６の上面に、棚板受桟６が左化粧側板３及び右化粧側板４と棚板７とで挟持されるように、棚板７を載設し、左化粧側板３及び右化粧側板４の上面に、棚板７を固設してなることを特徴としている。
【０００７】
請求項２の発明は、上記請求項１の収納ユニット１の取付方法において、左化粧側板３及び右化粧側板４の上端縁のうち収納室１００の後壁１０１の壁面に面する部分に、棚板受桟６が係合可能な切欠部３ａ，４ａを有してなることを特徴としている。
【０００８】
請求項３の発明は、上記請求項１又は２の収納ユニット１の取付方法において、収納室１００の後壁１０１の壁面に、少なくとも棚板７を載設しようとする高さＨに形成される後板２ａ，２ｂを面接触で沿わせて固着してなることを特徴としている。
【０００９】
請求項４の発明は、上記請求項１〜３の何れかの収納ユニット１の取付方法において、左化粧側板３及び右化粧側板４の間に、左化粧側板３及び右化粧側板４と平行となるように、中仕切板５を立設するとともに、中仕切板５が、棚板７を載設しようとする高さＨに形成され、中仕切板５のうち収納室１００の後壁１０１の壁面に面する部分に、上面が棚板７を載設しようとする高さＨとなるように、棚板受桟６を架設し、中仕切板５の上面に、棚板受桟６が中仕切板５と棚板７とで挟持されるように、棚板７を載設し、中仕切板５の上面に、棚板７を固設してなることを特徴としている。
【００１０】
請求項５の発明は、上記請求項４の収納ユニット１の取付方法において、中仕切板５は、中仕切板５の上端縁のうち収納室１００の後壁１０１の壁面に面する部分に、棚板受桟６が係合可能な切欠部５ａを有してなることを特徴としている。
【発明の効果】
【００１１】
以下に、本発明の効果について、図面の参照符号を付して説明する。請求項１の発明に係る収納ユニット１の取付方法では、左化粧側板３及び右化粧側板４が、収納室１００の左側壁１０２及び右側壁１０３の壁面に面接触で沿わせて固着されるとともに、棚板７を載設しようとする高さＨに形成され、棚板受桟６が、左化粧側板３及び右化粧側板４のうち収納室１００の後壁１０１の壁面に面する部分に、上面が棚板７を載設しようとする高さＨとなるように、左化粧側板３及び右化粧側板４の間にわたって架設され、棚板７が、左化粧側板３、右化粧側板４及び棚板受桟６の上面に、棚板受桟６を左化粧側板３及び右化粧側板４と棚板７とで挟持するように載設され、左化粧側板３及び右化粧側板４の上面に固設されるから、例えば、棚板７を載設しようとする高さＨが、裏面に既設の後補強桟１０４、左補強桟１０５及び右補強桟１０６が位置する後壁１０１、左側壁１０２及び右側壁１０３の壁面から外れた高さである場合には、左化粧側板３及び右化粧側板４が、既設の収納室１００の左側壁１０２及び右側壁１０３の壁面に面接触で沿わせて固着され、棚板７を載設しようとする高さＨに形成されることによって、裏面に既設の左補強桟１０５ａ，１０５ｂ及び右補強桟１０６ａ，１０６ｂが位置する左側壁１０２及び右側壁１０３の壁面に左化粧側板３及び右化粧側板４を固定することができるとともに、棚板受桟６が左化粧側板３及び右化粧側板４と棚板７とで挟持されることによって、裏面に既設の後補強桟１０４が位置する後壁１０１に棚板受桟６を固定する必要がない。したがって、従来のように後壁１０１、左側壁１０２及び右側壁１０３の壁面の裏面に新たな補強桟を取り付ける必要がないから、棚板７の取り付け作業を簡単に行うことができる。
【００１２】
請求項２の発明によれば、左化粧側板３及び右化粧側板４の上端縁のうち収納室１００の後壁１０１の壁面に面する部分に、棚板受桟６が係合可能な切欠部３ａ，４ａを有するから、例えば、左化粧側板３及び右化粧側板４の上端縁を切削加工することにより、切欠部３ａ，４ａを容易に形成することができる。
【００１３】
請求項３の発明によれば、収納室１００の後壁１０１の壁面に、少なくとも棚板７を載設しようとする高さＨに形成される後板２ａ，２ｂを面接触で沿わせて固着するから、棚板受桟６が後板２ａ，２ｂに接触保持されることにより、棚板受桟６の固定が強固になるとともに、例えば、後板２ａ，２ｂの表面を化粧面とすることにより、収納ユニット１の内側の露出面の美観を向上させることができる。
【００１４】
請求項４の発明によれば、中仕切板５が、左化粧側板３及び右化粧側板４の間に、左化粧側板３及び右化粧側板４と平行となるように、立設されるとともに、棚板７を載設しようとする高さＨに形成され、棚板受桟６が、中仕切板５のうち収納室１００の後壁１０１の壁面に面する部分に、上面が棚板７を載設しようとする高さＨとなるように、左化粧側板３及び右化粧側板４の間にわたって架設され、棚板７が、中仕切板５の上面に、棚板受桟６を中仕切板５と棚板７とで挟持するように載設され、中仕切板５の上面に固設されるから、請求項１と同様に、棚板７の取り付け作業を簡単に行うことができる。
【００１５】
請求項５の発明によれば、中仕切板５の上端縁のうち収納室１００の後壁１０１の壁面に面する部分に、棚板受桟６が係合可能な切欠部５ａを有するから、請求項２と同様に、中仕切板５の上端縁を切削加工することにより、切欠部５ａを容易に形成することができる。
【図面の簡単な説明】
【００１６】
【図１】本発明の一実施形態に係る収納ユニットが取り付けられる収納室を例示する正面図である。
【図２】同実施形態に係る収納ユニットの後板、左化粧側板及び右化粧側板を後壁、左側壁及び右側壁に取り付けた状態を例示する斜視図である。
【図３】同実施形態に係る収納ユニットの棚板受桟を左化粧側板、右化粧側板及び中仕切板に載架した状態を例示する斜視図である。
【図４】同実施形態に係る収納ユニットの左化粧側板の切欠部を後側から拡大して例示する斜視図である。
【図５】同実施形態に係る収納ユニットの棚板を棚板受桟、左化粧側板、右化粧側板及び中仕切板に載置した状態を例示する斜視図である。
【図６】同実施形態に係る収納ユニットの棚板、棚板受桟及び左化粧側板の載置部分を拡大して例示する縦断面図である。
【図７】同実施形態に係る収納ユニットの棚板を棚板受桟、左化粧側板、右化粧側板及び中仕切板に固定した状態を例示する斜視図である。
【図８】同実施形態に係る収納ユニットの左化粧側板、右化粧側板及び中仕切板の下部を床板に固定した状態を例示する斜視図である。
【図９】同実施形態に係る収納ユニットの右化粧側板の下部と床板との固定部分を拡大して例示する横断面図である。
【図１０】同実施形態に係る収納ユニットの右化粧側板の下部と床板との固定部分を拡大して例示する分解斜視図である。
【図１１】同実施形態に係る収納ユニットの各部を取り付けた状態を例示する斜視図である。
【図１２】同実施形態に係る収納ユニットの使用状態を例示する正面図である。
【発明を実施するための形態】
【００１７】
以下に、本発明に係る収納ユニット１を収納室１００に取り付ける収納ユニット１の取付方法の一実施形態について、図面を参照して具体的に説明する。なお、以下の説明において、上下左右の方向を示す場合は、図示正面から見た場合の上下左右をいうものとする。
【００１８】
図１に示すように、収納室１００は、既設の押入れを洋風のクローゼットにリフォームするために、いずれも図示しない押入れの枕棚及び中段が取り外された収納空間であって、図１１及び図１２に示すように、収納ユニット１を取り付けることによりクローゼットとなるものである。収納室１００は、図１に示すように、前方が開放するとともに、それぞれが矩形形状をなす後壁１０１、左側壁１０２、右側壁１０３、天井板１０７及び床板１０８を備えた縦長直方体形状の収納空間である。後壁１０１、左側壁１０２、右側壁１０３、天井板１０７及び床板１０８は、例えば、普通合板等の合板からなる矩形形状の薄板である。本実施形態の収納室１００は、例えば、幅が１８００ｍｍ、奥行きが９００ｍｍ、高さが２２５０ｍｍとなる収納空間である。図１に示すように、後壁１０１、左側壁１０２及び右側壁１０３の裏面には、それぞれ同一高さかつ同一幅となるように横方向に延びるとともに、上下方向に間隔をあけて複数本配置される板材からなる後補強桟１０４、左補強桟１０５及び右補強桟１０６が設けられる。後補強桟１０４、左補強桟１０５及び右補強桟１０６は、後壁１０１、左側壁１０２及び右側壁１０３を固定するとともに、押入れの枕棚及び中段を固定するために押入れのリフォーム前から存在する既設の補強桟である。後補強桟１０４、左補強桟１０５及び右補強桟１０６は、例えば、構造用合板等の合板からなる厚板である。本実施形態の後補強桟１０４、左補強桟１０５及び右補強桟１０６は、例えば、それぞれ上下方向に４５０ｍｍ間隔となるように等配され、それぞれ６本ずつ配置される。
【００１９】
図１１及び図１２に示すように、収納ユニット１は、主に、衣類、小物類、箱類等を収納する洋風のクローゼットとなる収納室１００に取り付けられる収納ユニットであって、全体が収納室１００の収納空間に収まるように取り付けられる。収納ユニット１は、図１１に示すように、後壁１０１の壁面の左側及び右側にそれぞれ固着される後板２ａ，２ｂと、左側壁１０２及び右側壁１０３の壁面にそれぞれ固着される左化粧側板３及び右化粧側板４と、左化粧側板３と右化粧側板４との間に左化粧側板３及び右化粧側板４と平行となるように立設される中仕切板５と、左化粧側板３、右化粧側板４及び中仕切板５の上面に左化粧側板３及び右化粧側板４の間にわたって架設される棚板受桟６と、左化粧側板３、右化粧側板４、中仕切板５及び棚板受桟６の上面に載設され、左化粧側板３、右化粧側板４及び中仕切板５の上面に固設される棚板７と、中仕切板５と右化粧側板４との間に上下方向可動に固設される可動棚８と、を備える。
【００２０】
後板２ａ，２ｂは、図２に示すように、収納室１００の後壁１０１の壁面の左側及び右側にそれぞれ面接触で沿わせて固着してなるものであって、棚板７（図１１参照）を載設しようとする高さＨに形成される。後板２ａ，２ｂは、図１及び図２に示すように、裏面にリフォーム前から存在する既設の後補強桟１０４ａ，１０４ｂが位置する後壁１０１に複数本（図２では、各４本）の固定ねじ１１，１２により固定される。後板２ａ，２ｂは、例えば、表面が化粧面となるプリント合板等の化粧合板からなる矩形形状の薄板である。固定ねじ１１，１２は、例えば、コーススレッド等の木ねじである。後補強桟１０４ａは、図１及び図１２に示すように、床板１０８の上側近傍位置に配置され、後補強桟１０４ｂは、棚板受桟６の下側位置に配置される。本実施形態では、図２に示すように、収納室１００の後壁１０１の壁面に棚板７を載設しようとする高さＨに形成される後板２ａ，２ｂを面接触で沿わせて固着するから、図６に示すように（図６では、後板２ａを示すが、後板２ｂも同様である）、棚板受桟６が後板２ａ，２ｂに接触保持されることにより、棚板受桟６の固定が強固になるとともに、後板２ａ，２ｂの表面が化粧面となることにより、図１１に示すように、収納ユニット１の内側の露出面の美観を向上させることができる。
【００２１】
なお、本実施形態では、後板２ａ，２ｂが、後壁１０１にねじにより固定されるものを例示したが、これに限定されるものではなく、例えば、後板２ａ，２ｂを後壁１０１に両面テープ及び接着剤等の接着のみにより固定しても良く、さらには、後板２ａ，２ｂを後壁１０１に接着とねじを併用して固定しても良い。また、本実施形態では、収納ユニット１が、２枚の後板２ａ，２ｂを設けるものを例示したが、例えば、後壁１０１の壁面の左側及び右側に１枚の後板２ａを設けるものであってもよく、あるいは、後板２ａ，２ｂを設けないものであってもよい。さらに、本実施形態では、後板２ａ，２ｂが、棚板７を載設しようとする高さＨに形成されていたが、少なくとも棚板７を載設しようとする高さＨに形成されていればよく、例えば、天井板１０７の下側近傍位置となる高さに形成されていてもよい。またさらに、本実施形態では、後板２ａ，２ｂが、裏面に既設の後補強桟１０４ａ，１０４ｂが位置する後壁１０１に固定されていたが、裏面にこれら以外の既設の後補強桟１０４が位置する後壁１０１に固定するようにしてもよい。
【００２２】
左化粧側板３及び右化粧側板４は、図２に示すように、既設の収納室１００の左側壁１０２及び右側壁１０３の壁面にそれぞれ面接触で沿わせて固着されるリフォーム用のものであって、棚板７を載設しようとする高さＨに形成される。左化粧側板３及び右化粧側板４は、左側壁１０２及び右側壁１０３の壁面の上下方向の大部分を覆うように面接触で沿わせて固着されるものであって、例えば、左側壁１０２及び右側壁１０３の壁面の上下方向の一部分に横方向に延びるように固着される従来の棚板受桟とは全く異なるものである。左化粧側板３及び右化粧側板４は、図１１に示すように、棚板７よりも下側かつ床板１０８よりも上側の左側壁１０２及び右側壁１０３の全体を覆うように取り付けられ、図１及び図２に示すように、裏面にリフォーム前から存在する既設の左補強桟１０５ａ，１０５ｂ及び右補強桟１０６ａ，１０６ｂが位置する左側壁１０２及び右側壁１０３に複数本（図２では、各４本）の固定ねじ１３，１４により固定される。左化粧側板３及び右化粧側板４は、例えば、芯材（枠材）がＬＶＬ（単板積層材）であり、面材（板材）がプリント合板等の化粧合板であるフラッシュ構造（枠材の両面に板材を貼着する構造）の厚物合板からなる矩形形状の厚板である。左補強桟１０５ａ及び右補強桟１０６ａは、図１及び図１１に示すように、後補強桟１０４ａと同一の高さとなる床板１０８の上側近傍位置に配置され、左補強桟１０５ｂ及び右補強桟１０６ｂは、後補強桟１０４ｂと同一の高さとなる棚板受桟６の下側位置に配置される。また、左化粧側板３及び右化粧側板４の下部は、図８に示すように、床板１０８に固定ねじ２１，２２により固定される。固定ねじ２１，２２は、例えば、皿木ねじ等の木ねじである。
【００２３】
なお、本実施形態では、左化粧側板３及び右化粧側板４が、左側壁１０２及び右側壁１０３にねじにより固定されるものを例示したが、例えば、左化粧側板３及び右化粧側板４を左側壁１０２及び右側壁１０３に両面テープ及び接着剤等の接着のみにより固定しても良く、さらには、左化粧側板３及び右化粧側板４を左側壁１０２及び右側壁１０３に接着及びねじを併用して固定しても良い。また、本実施形態では、左化粧側板３及び右化粧側板４が、裏面に既設の左補強桟１０５ａ，１０５ｂ及び右補強桟１０６ａ，１０６ｂが位置する左側壁１０２及び右側壁１０３に固定されていたが、裏面にこれら以外の既設の左補強桟１０５及び右補強桟１０６が位置する左側壁１０２及び右側壁１０３に固定するようにしてもよい。
【００２４】
中仕切板５は、図３、図８及び図１１に示すように、左化粧側板３及び右化粧側板４の間に左化粧側板３及び右化粧側板４と平行となるよう立設されるものであって、左化粧側板３及び右化粧側板４と同一の高さに形成され、すなわち、棚板７を載設しようとする高さＨ（図２参照）に形成される。中仕切板５は、左化粧側板３及び右化粧側板４と同一の材料の厚物合板からなる矩形形状の厚板であって、中仕切板５の幅は、左化粧側板３及び右化粧側板４の幅よりも小さくなっており、このため、中仕切板５の前面は、左化粧側板３及び右化粧側板４の前面よりも後側に位置している。中仕切板５は、図３に示すように、上面の複数箇所（図３では、２箇所）に上方に突出するダボ５ｂを有する。ダボ５ｂは、図５に示すように、棚板７を左化粧側板３、右化粧側板４、中仕切板５及び棚板受桟６の上面に載設したとき、棚板７の中央部下面の複数箇所（図３では、２箇所）に形成されるとともに、接着剤が注入されたダボ穴７ｄに係止される。また、中仕切板５の下部は、図８に示すように、床板１０８に固定ねじ２３により固定される。
【００２５】
左化粧側板３、右化粧側板４及び中仕切板５は、図３及び図４に示すように（図４では、左化粧側板３を示すが、右化粧側板４及び中仕切板５も同様である）、左化粧側板３、右化粧側板４及び中仕切板５の上端縁のうち収納室１００の後壁１０１の壁面に面する部分に、棚板受桟６が係合可能な切欠部３ａ〜５ａを有する。切欠部３ａ〜５ａは、図５及び図６に示すように、棚板受桟６の両端部の全部が係合するように、側面視で矩形（図６では、正方形）形状となる切り欠きであって、切削加工により形成される。本実施形態では、左化粧側板３、右化粧側板４及び中仕切板５の上端縁のうち収納室１００の後壁１０１の壁面に面する部分に、棚板受桟６が係合可能な切欠部３ａ〜５ａを有するから、左化粧側板３及び右化粧側板４の上端縁を切削加工することによって、切欠部３ａ〜５ａを容易に形成することができる。
【００２６】
なお、本実施形態では、切欠部３ａ〜５ａが、左化粧側板３、右化粧側板４及び中仕切板５の上端縁のうち後壁１０１の壁面に面する部分に設けられるものを例示したが、例えば、棚板７の下端縁のうち後壁１０１の壁面に面する部分に切欠部を設けるものや、左化粧側板３、右化粧側板４及び中仕切板５の上端縁のうち後壁１０１の壁面に面する部分と、棚板７の下端縁のうち後壁１０１の壁面に面する部分と、の両方の部分に切欠部を設けるものであってもよい。
【００２７】
棚板受桟６は、図３及び図５に示すように、左化粧側板３、右化粧側板４及び中仕切板５のうち収納室１００の後壁１０１の壁面に面する部分に形成された切欠部３ａ〜５ａに係合するとともに、上面が棚板７を載設しようとする高さＨ（図２参照）となるように、左化粧側板３及び右化粧側板４の間にわたって架設される。棚板受桟６は、図６に示すように（図６では、左化粧側板３を示すが、右化粧側板４及び中仕切板５も同様である）、上面に棚板７を載設するとともに、左化粧側板３、右化粧側板４及び中仕切板５を連結補強するものである。棚板受桟６は、側面が矩形（図６では、正方形）形状となる単材からなる角材である。棚板受桟６の前面及び下面には、プリント化粧紙等の化粧紙が貼着される。本実施形態では、棚板受桟６の前面及び下面が化粧面となるから、図１１に示すように、収納ユニット１の内側の露出面の美観を向上させることができる。
【００２８】
なお、本実施形態では、棚板受桟６が、側面が正方形形状となるものを例示したが、例えば、側面が長辺及び短辺を有する長方形形状となるものであってもよい。この場合には、切欠部３ａ〜５ａは、棚板受桟６の両端部の全部が係合するように、側面視で長方形形状となる切り欠きとなる。
【００２９】
棚板７は、図５〜図７に示すように、左化粧側板３、右化粧側板４、中仕切板５及び棚板受桟６の上面に、棚板受桟６が左化粧側板３、右化粧側板４及び中仕切板５と棚板７とで挟持されるように載設され、左化粧側板３、右化粧側板４及び中仕切板５の上面に固設される天板（枕棚）である。棚板７は、例えば、芯材が厚紙等のハニカムコアとなるＬＶＬであり、面材がプリント合板等の化粧合板であるフラッシュ構造の厚物合板からなる矩形形状の厚板である。棚板７は、図５に示すように、棚板７を左化粧側板３、右化粧側板４及び中仕切板５の上面に対向する複数箇所（図５では、下穴７ａ，７ｂが各３箇所、下穴７ｃが２箇所）に上下方向に貫通する下穴７ａ〜７ｃが形成される。棚板７は、図７に示すように、左化粧側板３、右化粧側板４及び中仕切板５の上面に、上側から下穴７ａ〜７ｃに挿通される固定ねじ１５〜１７により固定される。左化粧側板３、右化粧側板４及び中仕切板５は、固定ねじ１５〜１７により固定可能（詳細には、固定ねじ１５〜１７の頭部が係止可能）な厚さを有しており、本実施形態では、左化粧側板３、右化粧側板４及び中仕切板５の厚さは、例えば、２０ｍｍである。棚板受桟６は、図７に示すように、棚板７の下面の複数箇所（図７では、４箇所）に下側からねじ込まれる固定ねじ１８により固定される。棚板受桟６は、固定ねじ１８により固定可能（詳細には、固定ねじ１８の胴部が挿通可能）な幅を有しており、本実施形態では、棚板受桟６の幅は、例えば、２０ｍｍである。
【００３０】
なお、本実施形態では、棚板受桟６が、下側からねじ込まれる固定ねじ１８により固定されていたが、上側からねじ込まれる固定ねじ１８により固定されていてもよい。また、本実施形態では、棚板受桟６が、固定ねじ１８により固定されていたが、固定ねじ１８により固定されないものであってもよい。棚板受桟６が固定ねじ１８により固定されない場合でも、図３に示すように、棚板受桟６を左化粧側板３、右化粧側板４及び中仕切板５の切欠部３ａ〜５ａに係合し、図５に示すように、棚板７を左化粧側板３、右化粧側板４、中仕切板５及び棚板受桟６の上面に載設し、図７に示すように、棚板７を左化粧側板３、右化粧側板４及び中仕切板５の上面に固設することにより、図６に示すように、棚板受桟６が左化粧側板３、右化粧側板４及び中仕切板５と棚板７とで挟持されるから、棚板受桟６ｇが容易に外れることはない。
【００３１】
可動棚８は、図８及び図１１に示すように、中仕切板５と右化粧側板４との間に図示しないダボ位置を上下方向に変更することにより上下方向可動に固定されるものである。可動棚８は、左化粧側板３及び右化粧側板４と同一の材料の厚物合板からなる矩形形状の厚板である。
【００３２】
なお、本実施形態では、収納ユニット１が、可動棚８を設けるものを例示したが、可動棚８を設けないものであってもよい。
【００３３】
左化粧側板３、右化粧側板４及び中仕切板５は、図８に示すように、それぞれ下部の複数箇所（図８では、各２箇所）に側方（取付孔３ｂが右側側方、取付孔４ｂ，５ｃが左側側方）に開口する下端部が切除された円形形状の取付孔３ｂ，４ｂ，５ｃを有しており、取付孔３ｂ，４ｂ，５ｃから挿通される固定ねじ２１〜２３により床板１０８に固定される。具体的には、右化粧側板４は、図９及び図１０に示すように、取付孔４ｂにねじ込み圧入された合成樹脂製の連結具４ｃ（例えば、キャビネット組立金具キャラバン等）の挿通孔４ｃ１に左上から右下に向けてやや斜めに傾斜して挿通される固定ねじ２２により床板１０８に固定され、取付孔４ｂはキャップ４ｄにより閉塞される。なお、左化粧側板３及び中仕切板５においても、取付孔３ｂ，５ｃに連結具４ｃと同様の図示しない連結具３ｃ，５ｄがねじ込み圧入され、固定ねじ２１，２３により床板１０８に固定され、図１１に示すように、取付孔３ｂ，５ｃはキャップ４ｄと同様のキャップ３ｄ，５ｅにより閉塞される。
【００３４】
図１１に示すように、収納ユニット１は、棚板７の下面の左側及び右側にそれぞれ固定される金属製のハンガパイプ３１，３２と、左化粧側板３と中仕切板５との間の中央部に懸架固定される金属製のハンガパイプ３３と、左化粧側板３の右側面の上部及び中央部にそれぞれ固定される金属製のハンガパイプ３４，３５と、右化粧側板４の左側面の上部及び中央部にそれぞれ固定される小棚３６，３７と、棚板７の下面の中央部に固定される吊りフック等のフック３８と、中仕切板５の木口の中央部に固定される折り畳みフック等のフック３９と、をさらに備える。本実施形態では、図１２に示すように、収納ユニット１は、例えば、棚板７及び可動棚８の上面に箱類が載置され、ハンガパイプ３１〜３３に衣類が吊るされたハンガ等が掛止され、ハンガパイプ３４，３５にストール、カバン等が掛止され、小棚３６，３７の上面に消臭剤、眼鏡等の小物類が載置され、フック３８に衣類が吊るされたハンガ等が掛止され、フック３９に衣類やカバン等が掛止され、これにより、衣類、小物類、箱類等を収納することができるクローゼットとなる。
【００３５】
なお、本実施形態では、収納ユニット１が、ハンガパイプ３１〜３５、小棚３６，３７及びフック３８，３９の各部を設けるものを例示したが、各部の有無、配置、形状等は任意とすることができる。
【００３６】
次に、本実施形態の収納ユニット１を収納室１００に取り付ける方法について、詳細に説明する。
【００３７】
まず、図１及び図２に示すように、後板２ａ，２ｂを、裏面にリフォーム前から存在する既設の後補強桟１０４ａ，１０４ｂが位置する後壁１０１に固定ねじ１１，１２により固定する。次に、裏面にリフォーム前から存在する既設の左補強桟１０５ａ，１０５ｂ及び右補強桟１０６ａ，１０６ｂが位置する左側壁１０２及び右側壁１０３に固定ねじ１３，１４により固定する。次に、図３及び図８に示すように、中仕切板５を、左化粧側板３及び右化粧側板４の間に左化粧側板３及び右化粧側板４と平行となるよう立設するとともに、連結具５ｄ（図示せず）がねじ込み圧入されている取付孔５ｃに固定ねじ２３を緩く締めることにより、床板１０８に仮固定する。次に、図３及び図５に示すように、棚板受桟６を、左化粧側板３、右化粧側板４及び中仕切板５のうち収納室１００の後壁１０１の壁面に面する部分に形成された切欠部３ａ〜５ａに係合するとともに、左化粧側板３及び右化粧側板４の間にわたって架設する。次に、図５〜図７に示すように、棚板７を、左化粧側板３、右化粧側板４、中仕切板５及び棚板受桟６の上面に、棚板受桟６が左化粧側板３、右化粧側板４及び中仕切板５と棚板７とで挟持されるように載設する。次に、図７に示すように、棚板７を、左化粧側板３、右化粧側板４及び中仕切板５の上面に、固定ねじ１５〜１７により固定するとともに、棚板受桟６を、棚板７の下面に固定ねじ１８により固定する。次に、図８に示すように、可動棚８を、中仕切板５と右化粧側板４との間に上下方向可動に固定する。次に、図１１に示すように、ハンガパイプ３１〜３５、小棚３６，３７及びフック３８，３９の各部を固定する。そして、図８に示すように、左化粧側板３、右化粧側板４及び中仕切板５の下部を、連結具３ｃ（図示せず）、連結具４ｃ（図１０参照）がねじ込み圧入されている取付孔３ｂ，４ｂに固定ねじ２１〜２３を緊く締めることにより、床板１０８に固定するとともに、図１１に示すように、取付孔３ｂ，４ｂ，５ｃを、キャップ３ｄ，４ｄ，５ｅにより閉塞する。かくして、図１１に示すように、収納ユニット１が収納室１００に取り付けられる。
【００３８】
しかして、以上説明した本実施形態によれば、左化粧側板３及び右化粧側板４が、既設の収納室１００の左側壁１０２及び右側壁１０３の壁面に面接触で沿わせて固着されるとともに、棚板７を載設しようとする高さＨに形成され、棚板受桟６が、左化粧側板３及び右化粧側板４のうち収納室１００の後壁１０１の壁面に面する部分に、上面が棚板７を載設しようとする高さＨとなるように、左化粧側板３及び右化粧側板４の間にわたって架設され、棚板７が、左化粧側板３、右化粧側板４及び棚板受桟６の上面に、棚板受桟６を左化粧側板３及び右化粧側板４と棚板７とで挟持するように載設され、左化粧側板３及び右化粧側板４の上面に固設されるから、例えば、棚板７を載設しようとする高さＨが、裏面に既設の後補強桟１０４、左補強桟１０５及び右補強桟１０６が位置する後壁１０１、左側壁１０２及び右側壁１０３の壁面から外れた高さである場合には、左化粧側板３及び右化粧側板４が、既設の収納室１００の左側壁１０２及び右側壁１０３の壁面に面接触で沿わせて固着され、棚板７を載設しようとする高さＨに形成されることによって、裏面に既設の左補強桟１０５ａ，１０５ｂ及び右補強桟１０６ａ，１０６ｂが位置する左側壁１０２及び右側壁１０３の壁面に左化粧側板３及び右化粧側板４を固定することができるとともに、棚板受桟６が左化粧側板３及び右化粧側板４と棚板７とで挟持されることによって、裏面に既設の後補強桟１０４が位置する後壁１０１に棚板受桟６を固定する必要がない。したがって、従来のように後壁１０１、左側壁１０２及び右側壁１０３の壁面の裏面に新たな補強桟を取り付ける必要がないから、棚板７の取り付け作業を簡単に行うことができる。
【００３９】
さらに、本実施形態によれば、中仕切板５が、左化粧側板３及び右化粧側板４の間に、左化粧側板３及び右化粧側板４と平行となるように、立設されるとともに、棚板７を載設しようとする高さＨに形成され、棚板受桟６が、中仕切板５のうち収納室１００の後壁１０１の壁面に面する部分に、上面が棚板７を載設しようとする高さＨとなるように、左化粧側板３及び右化粧側板４の間にわたって架設され、棚板７が、中仕切板５の上面に、棚板受桟６を中仕切板５と棚板７とで挟持するように載設され、中仕切板５の上面に固設されるから、棚板７の取り付け作業を簡単に行うことができる。
【００４０】
なお、本実施形態においては、既設の押入れを洋風のクローゼットにリフォームする例を用いて説明したが、それに限らず、洋風のクローゼットを新築する際にも適用可能である。その際は、本実施形態に示すような後板２ａ，２ｂは設けなくとも良い。すなわち、任意の構成であり、必須の構成ではない。このことは、既設の押入れを洋風のクローゼットにリフォームする際にも言えることである。
【符号の説明】
【００４１】
１                          収納ユニット
２ａ，２ｂ                  後板
３                          左化粧側板
３ａ                        切欠部
３ｂ                        取付孔
３ｃ                        連結具
３ｄ                        キャップ
４                          右化粧側板
４ａ                        切欠部
４ｂ                        取付孔
４ｃ                        連結具
４ｃ１                      挿通孔
４ｄ                        キャップ
５                          中仕切板
５ａ                        切欠部
５ｂ                        ダボ
５ｃ                        取付孔
５ｄ                        連結具
５ｅ                        キャップ
６                          棚板受桟
７                          棚板
７ａ〜７ｃ                  下穴
７ｄ                        ダボ穴
８                          可動棚
１１〜１８，２１〜２３      固定ねじ
３１〜３５                  ハンガパイプ
３６，３７                  小棚
３８，３９                  フック
１００                      収納室
１０１                      後壁
１０２                      左側壁
１０３                      右側壁
１０４，１０４ａ，１０４ｂ  後補強桟
１０５，１０５ａ，１０５ｂ  左補強桟
１０６，１０６ａ，１０６ｂ  右補強桟
１０７                      天井板
１０８                      床板
Ｈ                          棚板を載設しようとする高さ
【図１】
2018104950.tif 000003
【図２】
2018104950.tif 000004
【図３】
2018104950.tif 000005
【図４】
2018104950.tif 000006
【図５】
2018104950.tif 000007
【図６】
2018104950.tif 000008
【図７】
2018104950.tif 000009
【図８】
2018104950.tif 000010
【図９】
2018104950.tif 000011
【図１０】
2018104950.tif 000012
【図１１】
2018104950.tif 000013
【図１２】
2018104950.tif 000014